(57)【要約】異なる方向に指向性を有し、外部より送信されるデジタル放送波を受信する複数のアンテナのうち少なくとも２つを選択して、前記選択されたアンテナで受信したデジタル放送波の受信状態に基づき、前記複数のアンテナの切替を指示するアンテナ組み合わせ判別処理部と、前記組み合わせ判別処理部からの指示に基づき前記複数のアンテナの切替を行うスイッチとを備えたことを特徴とする。
2008146495.tif 000002
【特許請求の範囲】
【請求項１】
異なる方向に指向性を有し、外部より送信されるデジタル放送波を受信する複数のアンテナを備え、前記複数のアンテナのうち少なくとも２つのアンテナを選択してダイバーシティ合成を行うデジタル放送受信装置において、
前記複数のアンテナの切替を行う複数のスイッチと、
前記選択されたアンテナで受信したデジタル放送波の受信状態に基づき、前記複数のアンテナの切替を前記スイッチ毎に指示するアンテナ組み合わせ判別処理部と、
前記組み合わせ判別処理部からの指示に基づき、前記複数のスイッチの切替を指示するスイッチ制御部と、
を備えたことを特徴とするデジタル放送受信装置。
【請求項２】
前記デジタル放送波をアナログ信号からデジタル信号に変換した後、ＦＦＴ変換を行い、該変換後の信号を出力すると共に、該信号の受信電力値、ＣＮ値、および遅延プロファイルを検出して出力するＯＦＤＭデコーダと、
前記デジタル放送波の誤り訂正を行い、該誤り訂正後の信号を出力すると共に、該信号の誤り率を出力する誤り訂正部とを備え、
前記アンテナ組み合わせ判別処理部は、前記ＯＦＤＭデコーダから出力された受信電力値、ＣＮ値、遅延プロファイル、前記誤り訂正部から出力された誤り率のうち少なくとも一つに基づき、前記複数のアンテナの切替を指示することを特徴とする請求項１記載のデジタル放送受信装置。
【請求項３】
前記アンテナ組み合わせ判別処理部は、所定時間のカウントを行うタイマを備え、前記タイマによる所定時間のカウント中は、前記複数のアンテナの切替を指示しないことを特徴とする請求項１記載のデジタル放送受信装置。
【請求項４】
前記アンテナ組み合わせ判別処理部は、前記複数のスイッチにおけるアンテナの切替回数をスイッチ毎に記憶し、前記複数のスイッチのうちいずれかのスイッチにおいて切替回数が所定の回数を超えた場合は、他のスイッチのアンテナの切替を指示することを特徴とする請求項１記載のデジタル放送受信装置。
【請求項５】
前記複数のアンテナにそれぞれ設けられ、受信したデジタル放送波の増幅を行う複数のアンテナアンプと、
前記複数のアンテナアンプへ電力を供給する複数のファントム電源と、
前記スイッチ制御部を参照して、前記複数のアンテナのうちいずれが選択されているかを判別して、前記判別結果に基づき前記ファントム電源を停止する制御部と、
を備えたことを特徴とする請求項２記載のデジタル放送受信装置。
【発明の詳細な説明】
【技術分野】
【０００１】
この発明は、複数のアンテナを備え、ダイバーシティ合成を行うデジタル放送受信装置に関するものである。
【背景技術】
【０００２】
従来のデジタル放送受信装置には、車両の移動によるドップラシフトの影響を低減するため、前方に指向性を有する２本のアンテナと、後方に指向性を有する２本のアンテナとを備え、前記前方に指向性を有するアンテナの受信電力と前記後方に指向性を有するアンテナの受信電力との比較を行い、受信電力が高い側の２本のアンテナによりデジタル放送波を受信してダイバーシティ合成を行うものがある（例えば特許文献１参照）。【０００３】
また、デジタル放送波の受信性能を向上させるため、受信電力に加えてデジタル放送波のキャリアとノイズとの比であるＣＮ値（Carrier／Noise）を用いて比較判断するものがある（例えば特許文献２参照）。【０００４】
【特許文献１】特開２００３−２８３４０５号公報
【特許文献２】特開２００６−３３０５６号公報
【０００５】
従来のデジタル放送受信装置は、上記のように構成されており、同じ指向性を有するアンテナの組を切り替えるのみで、個々にアンテナを選択して受信したデジタル放送波のダイバーシティ合成を行うことができない。そのため、アンテナの指向性を前後左右に持たせようとすると各方向に２本ずつ、計８本のアンテナが必要となり、アンテナの設置スペースや車両の外観性による制約を受けるという課題があった。また、ダイバーシティ合成後のアンテナの指向性が単一方向であるため、デジタル放送波の主波の到来角度と、前記主波に対しガードインターバルの時間以上遅れて到来する遅延波の到来角度との角度差が小さい場合には、デジタル放送波の受信性能を向上させることができないという課題があった。【０００６】
この発明は、上記のような課題を解決するためになされたもので、異なる方向に指向性を有するアンテナを組み合わせてダイバーシティ合成することにより、様々な方向の合成指向性を得ることができるデジタル受信装置を得ることを目的とする。
【発明の開示】
【０００７】
この発明は、異なる方向に指向性を有し、外部より送信されるデジタル放送波を受信する複数のアンテナのうち少なくとも２つを選択してダイバーシティ合成を行うデジタル放送受信装置において、前記複数のアンテナの切替を行う複数のスイッチと、前記選択されたアンテナで受信したデジタル放送波の受信状態に基づき、前記複数のアンテナの切替を前記スイッチ毎に指示するアンテナ組み合わせ判別処理部と、前記組み合わせ判別処理部からの指示に基づき、前記複数のスイッチへ前記複数のアンテナの切替を指示するスイッチ制御部とを備えたことを特徴とする。
【０００８】
この発明は、異なる方向に指向性を有する複数のアンテナのうち少なくとも２つを選択してダイバーシティ合成する際に、前記選択されたアンテナで受信したデジタル放送波の受信状態に基づき、前記複数のアンテナの切替を、切替スイッチ毎に指示するようにしたので、前記複数のアンテナの組み合わせにより、様々な方向の合成指向性を得ることができ、受信性能が向上するという効果がある。
【図面の簡単な説明】
【０００９】
【図１】実施の形態１によるデジタル受信装置の構成図である。
【図２】実施の形態１によるデジタル放送受信装置のアンテナの指向性の一例を示した図である。
【図３−１】車両の進行方向に対してデジタル放送波の主波が前方から到来する場合を示した図である。
【図３−２】車両の進行方向に対してデジタル放送波の主波が後方から到来する場合を示した図である。
【図３−３】車両の進行方向に対してデジタル放送波の主波が左側から、遅延波が右側から到来する場合を示した図である。
【図３−４】車両の進行方向に対してデジタル放送波の主波が右側から、遅延波が左側から到来する場合を示した図である。
【図３−５】車両の進行方向に対してデジタル放送波の主波が左側から、遅延波が右側から到来する場合を示した図である。
【図３−６】車両の進行方向に対してデジタル放送波の主波が右側から、遅延波が左側から到来する場合を示した図である。
【図４】実施の形態１によるデジタル放送受信装置のアンテナの指向性の他の例を示した図である。
【図５】実施の形態１によるデジタル放送受信装置のアンテナの指向性の他の例を示した図である。
【図６】実施の形態１によるデジタル放送受信装置の動作を示したフローチャートである。
【図７−１】判別に受信電力値ＰA、ＰBを用いた場合のフローチャートである。
【図７−２】アンテナ切替の判別にＣＮA、ＣＮBを用いた場合のフローチャートである。
【図７−３】アンテナ切替の判別に誤り率Ｅｃを用いた場合のフローチャートである。
【図７−４】アンテナ切替の判別に、所定の時間の経過を用いた場合のフローチャートである。
【図７−５】アンテナ切替の判別に遅延プロファイルｔA、ｔBを用いた場合のフローチャートである。
【図７−６】アンテナ切替の判別に、デジタル放送波のサーチもしくは選局処理の実施中であるか否かを用いた場合のフローチャートである。
【図７−７】アンテナ切替の判別に受信電力値ＰAとＣ／Ｎ値ＣＮAとを乗算した値ＰA×ＣＮAと、受信電力値ＰBとＣ／Ｎ値ＣＮBとを乗算した値ＰB×ＣＮBとを用いた場合のフローチャートである。
【図７−８】アンテナ切替の判別に誤り率ＥA、ＥBを用いた場合のフローチャートである。
【図７−９】アンテナ切替の判別に放送方式を用いた場合のフローチャートである。
【図８−１】アンテナの切替判別処理に受信電力値ＰA、ＰBを用いた場合のフローチャートである。
【図８−２】アンテナの切替判別処理にＣＮ値ＣＮA、ＣＮBを用いた場合のフローチャートである。
【図８−３】アンテナの切替判別処理に誤り率ＥA、ＥBを用いた場合のフローチャートである。
【図８−４】アンテナの切替判別処理に受信電力値ＰAとＣ／Ｎ値ＣＮAとを乗算した値ＰA×ＣＮAと、受信電力値ＰBとＣ／Ｎ値ＣＮBとを乗算した値ＰB×ＣＮBとを用いた場合のフローチャートである。
【図８−５】アンテナの切替判別処理に遅延プロファイルｔAに含まれる遅延時間ＴAと遅延プロファイルｔBに含まれる遅延時間ＴBとを用いた場合のフローチャートである。
【図８−６】アンテナの切替判別処理に遅延プロファイルｔAに含まれる受信電力差ＤＵAと遅延プロファイルｔBに含まれる受信電力差ＤＵBとを用いた場合のフローチャートである。
【図８−７】アンテナの切替判別処理に前回の切替の結果を用いた場合のフローチャートである。
【図８−８】アンテナの切替判別処理として、同一ブランチのアンテナの切替が連続して所定の回数行われた場合には、他方のブランチのアンテナ切替を行う場合のフローチャートである。
【図８−９】アンテナの切替判別処理として、同一ブランチのアンテナの切替が連続して所定の回数、所定の時間内に行われた場合には、他方のブランチのアンテナ切替を行う場合のフローチャートである。
【図９】実施の形態２によるデジタル放送受信装置の構成図である。
【図１０】実施の形態２によるデジタル放送受信装置のアンテナの指向性の一例を示した図である。
【図１１】実施の形態３によるデジタル放送受信装置の構成図である。
【図１２】実施の形態３によるデジタル放送受信装置のアンテナの指向性の一例を示した図である。
【図１３−１】実施の形態４によるデジタル放送受信装置の動作を示したフローチャートである。
【図１３−２】実施の形態４によるデジタル放送受信装置の動作を示したフローチャートである。
【発明を実施するための最良の形態】
【００１０】
以下、この発明をより詳細に説明するために、この発明を実施するための最良の形態について、添付の図面に従って説明する。
実施の形態１．
図１は、実施の形態１によるデジタル放送受信装置の構成図である。この実施の形態１によるデジタル放送受信装置は、ブランチＡを構成するアンテナＡ１、Ｂ１、アンテナアンプＡ３、Ｂ３、スイッチＡ５、チューナＡ６、ＯＦＤＭ(Orthogonal Frequency Division Multiplexing)デコーダＡ７、誤り検出部Ａ８、ブランチＢを構成するアンテナＡ２、Ｂ２、アンテナアンプＡ４、Ｂ４、スイッチＢ５、チューナＢ６、ＯＦＤＭデコーダＢ７、誤り検出部Ｂ８、ダイバーシティ合成部１０、誤り訂正部１１、ＴＳ（Transport Stream）デコーダ１２、スイッチ制御部１３、アンテナ組み合わせ判別処理部１４、制御部１５、ファントム電源生成部Ａ９、Ａ１０、ファントム電源生成部Ｂ９、Ｂ１０を備える。【００１１】
アンテナＡ１、Ｂ１、Ａ２、Ｂ２は、放送局や基地局等から送信されるデジタル放送波を受信する。アンテナアンプＡ３、Ｂ３、Ａ４、Ｂ４はそれぞれ、アンテナＡ１、Ｂ１、Ａ２、Ｂ２が受信したデジタル放送波の増幅を行う。スイッチＡ５はアンテナＡ１とＢ１の切替を、スイッチＢ５はアンテナＡ２とＢ２の切替をそれぞれ行う。チューナＡ６はスイッチＡ５により選択されたアンテナで受信されたデジタル放送波を、チューナＢ６はスイッチＢ５により選択されたアンテナで受信されたデジタル放送波をそれぞれＩＦ（Intermediate Frequency）信号に変換して出力する。【００１２】
ＯＦＤＭデコーダＡ７は、チューナＡ６から出力されたＩＦ信号の受信電力値を検出する受信レベル検出部と、前記ＩＦ信号をアナログ信号からデジタル信号へ変換するＡＤ（Analog/Digital）変換部と、ＡＤ変換後のデジタル信号に対してＦＦＴ(Fast Fourier Transform)、ＩＦＦＴ(Inverse Fast Fourier Transform)等の処理を実行する信号処理部とを備え、チューナＡ６から出力されたＩＦ信号に対してＡＤ変換、ＦＦＴ等の処理を行うと共に、前記ＩＦ信号の受信電力ＰA、キャリアとノイズの比（ＣＮ値）であるＣＮA、デジタル放送波の主波と遅延波との到来時間の差である遅延時間ＴAと前記主波と前記遅延波との受信電力の差であるＤＵAを含む遅延プロファイルｔA、およびデジタル放送波の放送方式、例えばＢＳデジタル、地上デジタル放送の伝送制御信号の内容、ワンセグ放送であるか１２セグ放送であるか等を検出して出力する機能を有する。なおＯＦＤＭデコーダＡ７の受信レベル検出部は、ＡＤ変換部の前後どちらに設けてもかまわない。【００１３】
ＯＦＤＭデコーダＢ７は、チューナＢ６から出力されたＩＦ信号の受信電力値を検出する受信レベル検出部と、前記ＩＦ信号をアナログ信号からデジタル信号へ変換するＡＤ（Analog/Digital）変換部と、ＡＤ変換後のデジタル信号に対してＦＦＴ(Fast Fourier Transform)、ＩＦＦＴ(Inverse Fast Fourier Transform)等の処理を実行する信号処理部とを備え、チューナＢ６から出力されたＩＦ信号に対してＡＤ変換、ＦＦＴ等の処理を行うと共に、前記ＩＦ信号の受信電力ＰB、キャリアとノイズの比（ＣＮ値）であるＣＮB、デジタル放送波の主波と遅延波との到来時間の差である遅延時間ＴBと前記主波と前記遅延波との受信電力の差であるＤＵBを含む遅延プロファイルｔB、およびデジタル放送波の放送方式、例えばＢＳデジタル、地上デジタル放送の伝送制御信号の内容、ワンセグ放送であるか１２セグ放送であるか等を検出して出力する機能を有する。なおＯＦＤＭデコーダＢ７の受信レベル検出部は、ＡＤ変換部の前後どちらに設けてもかまわない。【００１４】
誤り検出部Ａ８はＯＦＤＭデコーダＡ７から出力された信号の誤り率ＥAを検出して出力し、誤り検出部Ｂ８はＯＦＤＭデコーダＢ７から出力された信号の誤り率ＥBを検出して出力する。ダイバーシティ合成部１０は、ＯＦＤＭデコーダＡ７およびＯＦＤＭデコーダＢ７からそれぞれ出力された信号をダイバーシティ合成して出力する。誤り訂正部１１は、ダイバーシティ合成部１０から出力された合成後の信号の誤り訂正を行い、誤り訂正後の信号を出力すると共に、前記信号の誤り率Ｅｃを検出して出力する。ＴＳデコーダ１２は、誤り訂正部１１から出力された信号を映像信号、音声信号、その他の情報信号に分離復号して出力するとともに、デジタル放送波の放送方式、例えばＢＳデジタル、地上デジタル放送の伝送制御信号の内容、ワンセグ放送であるか１２セグ放送であるか、さらにはＴＳデコーダで判別可能なチャンネルＩＤ等をアンテナ組み合わせ判別処理部１４および制御部１５へ出力する。【００１５】
アンテナ組み合わせ判別処理部１４は、ＯＦＤＭデコーダＡ７から出力された受信電力ＰA、ＣＮ値ＣＮA、遅延プロファイルｔA、誤り検出部Ａ８から出力された誤り率ＥA、ＯＦＤＭデコーダＢ７から出力された受信電力ＰB、ＣＮ値ＣＮB、遅延プロファイルｔB、誤り検出部Ｂ８から出力された誤り率ＥB、誤り訂正部１１から出力された誤り率ＥCにそれぞれ対応する閾値および所定の放送方式を記憶する記憶部と、所定の時間をカウントするタイマ部とを有し、受信電力ＰA、ＰB、ＣＮ値ＣＮA、ＣＮB、遅延プロファイルｔA、ｔB、誤り率ＥA、ＥB、ＥCと、前記記憶部に記憶された対応する閾値との比較を行い、該比較結果およびタイマによるカウントに基づきスイッチ制御部１３へアンテナ切替の指示を行う。【００１６】
また、アンテナ組み合わせ判別処理部１４は、ＯＦＤＭデコーダＡ７、Ｂ７、ＴＳデコーダ１２または制御部１５から出力されたデジタル放送波の放送方式が前記記憶部に記憶された所定の放送方式と一致した場合、ユーザによるデジタル放送波の選局やサーチを指示する信号を制御部１５より受信した場合、および前記タイマにより所定の時間がカウントされていない場合にはスイッチ制御部１３へアンテナ切替の指示を行わない。スイッチ制御部１３は、アンテナ組み合わせ判別処理部１４からの指示に基づき、スイッチＡ５、Ｂ５へアンテナの切替を指示する。また、ファントム電源生成部Ａ９、Ａ１０は、それぞれアンテナアンプＡ３、Ａ４へ電力を供給し、ファントム電源生成部Ｂ９、Ｂ１０は、それぞれアンテナアンプＢ３、Ｂ４へ電力を供給する。【００１７】
図２（ａ）は、実施の形態１によるデジタル放送受信装置の各アンテナの指向性の一例を示した図である。アンテナＡ１は車両の右前方に指向性を有する。アンテナＢ１は車両の後方に指向性を有する。アンテナＡ２は車両の左前方に指向性を有する。アンテナＢ２は車両の後方に指向性を有する。図２（ｂ）はアンテナＡ１とＡ２を組み合わせた場合に得られる合成指向性を示した図、図２（ｃ）はアンテナＢ１とＢ２を組み合わせた場合に得られる合成指向性を示した図、図２（ｄ）はアンテナＡ２とＢ１またはアンテナＡ２とＢ２を組み合わせた場合に得られる合成指向性を示した図、図２（ｅ）はアンテナＡ１とＢ２またはアンテナＡ１とＢ１を組み合わせた場合に得られる合成指向性を示した図である。【００１８】
図３は、デジタル放送波の到来方向を示した図である。図３−１は、車両の進行方向に対してデジタル放送波の主波が前方から到来する場合であり、このような場合には、アンテナＡ１とＡ２を組み合わせて、図２（ｂ）に示す合成指向性とした場合に最も受信状態が良くなる。図３−２は、車両の進行方向に対してデジタル放送波の主波が後方から到来する場合であり、このような場合には、アンテナＢ１とＢ２を組み合わせて、図２（ｃ）に示す合成指向性とした場合に最も受信状態が良くなる。図３−３および図３−５は、車両の進行方向に対してデジタル放送波の主波が左側から、遅延波が右側から到来する場合であり、このような場合には、アンテナＡ２とＢ１またはアンテナＡ２とＢ２とを組み合わせて、図２（ｄ）に示す合成指向性とした場合に最も受信状態が良くなる。図３−４および図３−６は、車両の進行方向に対してデジタル放送波の主波が右側から、遅延波が左側から到来する場合であり、このような場合には、アンテナＡ１とＢ２またはアンテナＡ１とＢ１とを組み合わせて、図２（ｅ）に示す合成指向性とした場合に最も受信状態が良くなる。【００１９】
図４（ａ）は、実施の形態１によるデジタル放送受信装置の各アンテナの指向性の他の例を示した図である。アンテナＡ１は車両の右前方に指向性を有する。アンテナＢ１は車両の右後方に指向性を有する。アンテナＡ２は車両の左前方に指向性を有する。アンテナＢ２は車両の左後方に指向性を有する。図４（ｂ）はアンテナＡ１とＡ２を組み合わせた場合に得られる合成指向性を示した図、図４（ｃ）はアンテナＢ１とＢ２を組み合わせた場合に得られる合成指向性を示した図、図４（ｄ）はアンテナＡ２とＢ２を組み合わせた場合に得られる合成指向性を示した図、図４（ｅ）はアンテナＡ１とＢ１を組み合わせた場合に得られる合成指向性を示した図である。【００２０】
図５（ａ）は、実施の形態１によるデジタル放送受信装置の各アンテナの指向性の他の例を示した図である。アンテナＡ１は車両の前方に指向性を有する。アンテナＢ１は車両の右側方に指向性を有する。アンテナＡ２は車両の前方に指向性を有する。アンテナＢ２は車両の左側方に指向性を有する。図５（ｂ）はアンテナＡ１とＡ２を組み合わせた場合に得られる合成指向性を示した図、図５（ｃ）はアンテナＡ２とＢ２を組み合わせた場合に得られる合成指向性を示した図、図５（ｄ）はアンテナＡ１とＢ１を組み合わせた場合に得られる合成指向性を示した図、図５（ｅ）はアンテナＢ１とＢ２を組み合わせた場合に得られる合成指向性を示した図である。【００２１】
次に、動作について説明する。
図６は、この実施の形態１によるデジタル放送受信装置の動作を示したフローチャートである。なおここでは、この実施の形態１によるデジタル放送受信装置の特徴となるアンテナ組み合わせ判別処理部１４の動作について説明する。
定常受信状態から、アンテナ組み合わせ判別処理部１４はＯＦＤＭデコーダＡ７から出力された受信電力ＰA、ＣＮA、遅延プロファイルｔAに含まれる主波と遅延波との伝播時間差ＴAおよび受信電力差ＤＵAと、誤り検出部Ａ８から出力された誤り率ＥAと、ＯＦＤＭデコーダＢ７から出力された受信電力ＰB、ＣＮB、遅延プロファイルｔBに含まれる主波と遅延波との伝播時間差ＴBおよび受信電力差ＤＵBと、誤り検出部Ｂ８から出力された誤り率ＥBと、誤り訂正部１１から出力された誤り率ＥCを取得すると共に、所定の時間が経過したかどうかタイマのチェックを行う（ステップＳＴ２）。【００２２】
次に、アンテナ組み合わせ判別処理部１４は、ステップＳＴ２で取得した値に基づきアンテナ切替可否判断を行う（ステップＳＴ３）。なおステップＳＴ３における詳しい処理については図７−１から図７−９を用いて詳細に後述する。ステップＳＴ３で、アンテナの切替が可能でないと判断した場合、アンテナ組み合わせ判別処理部１４は、アンテナの切替を行わず、ステップＳＴ１の定常状態へ戻る（ステップＳＴ４）。また、ステップＳＴ３でアンテナの切替が実行可能であると判断した場合、アンテナ組み合わせ判別処理部１４は、切替ブランチを決定する処理を行う（ステップＳＴ５）。なおステップＳＴ５における詳しい処理については図８−１から図８−９を用いて詳細に後述する。次に組み合わせ処理部１４は、ステップＳＴ５での判断に基づいて、スイッチＡ５およびスイッチＢ５へアンテナの切替を指示する（ステップＳＴ６）。次に組み合わせ処理部１４は、タイマをセットしてステップＳＴ１の定常状態へ戻る（ステップＳＴ７）。【００２３】
図７−１から図７−９は、図６のステップＳＴ３の処理を示したフローチャートである。図７−１は、判別に受信電力値ＰA、ＰBを用いた場合のフローチャートである。アンテナ組み合わせ判別処理部１４は、ＯＦＤＭデコーダＡ７、Ｂ７から出力された受信電力値ＰAまたはＰBの少なくとも一方が記憶部に記憶された受信電力値に対応する閾値以下であるかを判定する（ステップＳＴ１１）。ステップＳＴ１１にて、受信電力値ＰAまたはＰBの少なくとも一方が前記閾値以下である場合には、アンテナ組み合わせ判別処理部１４は、アンテナの切替が実行可能であると判断する（ステップＳＴ１２）。また、ステップＳＴ１１にて、受信電力値ＰA、ＰBのどちらも前記閾値より大きい場合には、アンテナ組み合わせ判別処理部１４は、アンテナの切替が実行可能でないと判断する（ステップＳＴ１３）。【００２４】
図７−２は、アンテナ切替の判別にＣＮA、ＣＮBを用いた場合のフローチャートである。アンテナ組み合わせ判別処理部１４は、ＯＦＤＭデコーダＡ７、Ｂ７から出力されたＣＮAまたはＣＮBの少なくとも一方が記憶部に記憶されたＣＮ値に対応する閾値以下であるかを判定する（ステップＳＴ２１）。ステップＳＴ２１にて、ＣＮAまたはＣＮBの少なくとも一方が前記閾値以下である場合には、アンテナ組み合わせ判別処理部１４は、アンテナの切替が実行可能であると判断する（ステップＳＴ２２）。また、ステップＳＴ２１にて、ＣＮA、ＣＮBのどちらも前記閾値より大きい場合には、アンテナ組み合わせ判別処理部１４は、アンテナの切替が実行可能でないと判断する（ステップＳＴ２３）。【００２５】
図７−３は、アンテナ切替の判別に誤り率Ｅｃを用いた場合のフローチャートである。アンテナ組み合わせ判別処理部１４は、誤り訂正部１１から出力された誤り率Ｅｃが、記憶部に記憶された誤り率に対応する閾値以上であるかを判定する（ステップＳＴ３１）。ステップＳＴ３１にて、誤り率Ｅｃが前記閾値以上である場合には、アンテナ組み合わせ判別処理部１４は、アンテナの切替が実行可能であると判断する（ステップＳＴ３２）。また、ステップＳＴ３１にて、誤り率Ｅｃが前記閾値より小さい場合には、アンテナ組み合わせ判別処理部１４は、アンテナの切替が実行可能でないと判断する（ステップＳＴ３３）。【００２６】
図７−４は、アンテナ切替の判別に、所定の時間の経過を用いた場合のフローチャートである。アンテナ組み合わせ判別処理部１４は、タイマにより所定の時間がカウントされたか否かを判定する（ステップＳＴ４１）。ステップＳＴ４１にて、所定の時間がカウントされている場合には、アンテナ組み合わせ判別処理部１４は、アンテナの切替が実行可能であると判断する（ステップＳＴ４２）。また、ステップＳＴ４１にて、所定の時間がカウントされていない場合には、アンテナ組み合わせ判別処理部１４は、カウントから１引いた後（ステップＳＴ４３）、アンテナの切替が実行可能でないと判断する（ステップＳＴ４４）。【００２７】
図７−５は、アンテナ切替の判別に遅延プロファイルｔA、ｔBを用いた場合のフローチャートである。アンテナ組み合わせ判別処理部１４は、ＯＦＤＭデコーダＡ７から出力された遅延プロファイルｔA、またはＯＦＤＭデコーダＢ７から出力された遅延プロファイルｔBの少なくとも一方に含まれる遅延時間ＴAまたは遅延時間ＴBが記憶部に記憶された遅延時間に対応する閾値以上であり、かつ、受信電力差ＤＵAまたは受信電力差ＤＵBが記憶部に記憶された受信電力差に対応する閾値以下であるかを判定する（ステップＳＴ５１）。ステップＳＴ５１にて、遅延プロファイルｔA、または遅延プロファイルｔBの少なくとも一方に含まれる遅延時間ＴAまたは遅延時間ＴBが前記遅延時間に対応する閾値以上であり、かつ、受信電力差ＤＵAまたは受信電力差ＤＵBが前記受信電力差に対応する閾値以下である場合には、アンテナ組み合わせ判別処理部１４は、アンテナの切替が実行可能であると判断する（ステップＳＴ５２）。また、ステップＳＴ５１にて、遅延プロファイルｔA、または遅延プロファイルｔBの少なくとも一方に含まれる遅延時間ＴAまたは遅延時間ＴBが前記遅延時間に対応する閾値以上であり、かつ、受信電力差ＤＵAまたは受信電力差ＤＵBが前記受信電力差に対応する閾値以下でない場合には、アンテナ組み合わせ判別処理部１４は、アンテナの切替が実効可能でないと判断する（ステップＳＴ５３）。【００２８】
図７−６は、アンテナ切替の判別に、デジタル放送波のサーチもしくは選局処理の実施中であるか否かを用いた場合のフローチャートである。アンテナ組み合わせ判別処理部１４は、制御部１５から出力された信号によりサーチもしくは選局処理を実施しているか否かを判定する（ステップＳＴ６１）。ステップＳＴ６１にて、サーチもしくは選局処理を実施していない場合には、アンテナ組み合わせ判別処理部１４は、アンテナの切替が実行可能であると判断する（ステップＳＴ６２）。また、ステップＳＴ２１にて、サーチもしくは選局処理を実施している場合には、アンテナ組み合わせ判別処理部１４は、アンテナの切替が実行可能でないと判断する（ステップＳＴ６３）。【００２９】
図７−７は、アンテナ切替の判別に受信電力値ＰAとＣ／Ｎ値ＣＮAとを乗算した値ＰA×ＣＮAと、受信電力値ＰBとＣ／Ｎ値ＣＮBとを乗算した値ＰB×ＣＮBとを用いた場合のフローチャートである。アンテナ組み合わせ判別処理部１４は、ＰA×ＣＮAおよびＰB×ＣＮBを算出した後、ＰA×ＣＮAまたはＰB×ＣＮBのうち少なくとも一方が記憶部に記憶された閾値以下であるかを判定する（ステップＳＴ７１）。ステップＳＴ７１にて、Ｃ／Ｎ値ＣＮA、ＣＮBどちらか一方でも前記閾値以下である場合には、アンテナ組み合わせ判別処理部１４は、アンテナの切替が実行可能であると判断する（ステップＳＴ７２）。また、ステップＳＴ７１にて、ＰA×ＣＮA、ＰB×ＣＮBのどちらも前記閾値より大きい場合には、アンテナ組み合わせ判別処理部１４は、アンテナの切替が実行可能でないと判断する（ステップＳＴ７３）。【００３０】
図７−８は、アンテナ切替の判別に誤り率ＥA、ＥBを用いた場合のフローチャートである。アンテナ組み合わせ判別処理部１４は、誤り検出部Ａ８から出力された誤り率ＥAまたは誤り検出部Ｂ８から出力された誤り率ＥBのうち少なくとも一方が記憶部に記憶された誤り率ＥA、またはＥBに対応する閾値以上であるかを判定する（ステップＳＴ８１）。ステップＳＴ８１にて、誤り率ＥAまたは誤り率ＥBのどちらか一方でも前記閾値以上である場合には、アンテナ組み合わせ判別処理部１４は、アンテナの切替が実行可能であると判断する（ステップＳＴ８２）。また、ステップＳＴ８１にて、誤り率ＥAおよび誤り率ＥBのどちらも前記閾値より小さい場合には、アンテナ組み合わせ判別処理部１４は、アンテナの切替が実行可能でないと判断する（ステップＳＴ８３）。【００３１】
図７−９は、アンテナ切替の判別に放送方式を用いた場合のフローチャートである。アンテナ組み合わせ判別処理部１４は、受信したデジタル放送波の放送方式が記憶部に記憶された所定の放送方式であるか否かを判定する（ステップＳＴ９１）。ステップＳＴ９１にて、デジタル放送波の放送方式が前記所定の放送方式でない場合には、アンテナ組み合わせ判別処理部１４は、アンテナの切替が実行可能であると判断する（ステップＳＴ９２）。また、ステップＳＴ９１にて、デジタル放送波の放送方式が所定の放送方式である場合には、アンテナ組み合わせ判別処理部１４は、アンテナの切替が実行可能でないと判断する（ステップＳＴ９３）。ここで、所定の放送方式とは、例えばアンテナの切替を行っても受信状態の向上が見込めないワンセグによる放送方式などが該当する。【００３２】
なお、図７−１から図７−９に示した判別を別々に行っても良いし、図７−１から図７−９のうち複数の処理をＡＮＤ回路等で組み合わせて判別処理を行うようにしても良い。また、受信電力値、ＣＮ値、遅延波の主波に対する遅延時間にはＯＦＤＭデコーダＡ７、Ｂ７から出力された値を用い、誤り率の変わりに誤り数を、受信電力差の変わりに受信電力差の逆数を用いるようにして、前記全ての値を乗算して一つの値とした後、所定の閾値と比較して判別処理を行うようにしてもよい。【００３３】
図８は、図６のステップＳＴ５の処理を示したフローチャートである。図８−１は、アンテナの切替判別処理に受信電力値ＰA、ＰBを用いた場合のフローチャートである。アンテナ組み合わせ判別処理部１４は、受信電力値ＰA、ＰBが共に記憶部に記憶された受信電力値に対応する閾値以下であるか否かを判別する（ステップＳＴ１０１）。ステップＳＴ１０１にて、受信電力値ＰA、ＰBが共に前記閾値以下である場合には、アンテナ組み合わせ判別処理部１４は、スイッチＡ５およびスイッチＢ５へアンテナの切替を指示し、スイッチＡ５およびスイッチＢ５はアンテナの切替を実行する（ステップＳＴ１０２）。【００３４】
ステップＳＴ１０１にて、受信電力値ＰAまたは受信電力値ＰBの少なくとも一方が前記閾値以下でない場合には、アンテナ組み合わせ判別処理部１４は、受信電力値ＰAが受信電力値ＰBよりも大きいか否かを判別する（ステップＳＴ１０３）。ステップＳＴ１０３にて、受信電力値ＰAが受信電力値ＰBよりも大きい場合には、アンテナ組み合わせ判別処理部１４は、スイッチＢ５へアンテナの切替を指示し、スイッチＢ５はアンテナの切替を実行する（ステップＳＴ１０４）。ステップＳＴ１０３にて、受信電力値ＰAが受信電力値ＰB以下である場合には、アンテナ組み合わせ判別処理部１４は、スイッチＡ５へアンテナの切替を指示し、スイッチＡ５はアンテナの切替を実行する（ステップＳＴ１０５）。【００３５】
図８−２は、アンテナの切替判別処理にＣＮ値ＣＮA、ＣＮBを用いた場合のフローチャートである。アンテナ組み合わせ判別処理部１４は、ＣＮ値ＣＮA、ＣＮBが共に記憶部に記憶されＣＮ値に対応する閾値以下であるか否かを判別する（ステップＳＴ１１１）。ステップＳＴ１１１にて、ＣＮ値ＣＮA、ＣＮBが共に前記閾値以下である場合には、アンテナ組み合わせ判別処理部１４は、スイッチＡ５およびスイッチＢ５へアンテナの切替を指示し、スイッチＡ５およびスイッチＢ５はアンテナの切替を実行する（ステップＳＴ１１２）。ステップＳＴ１１１にて、ＣＮ値ＣＮAまたはＣＮ値ＣＮBの少なくとも一方が前記閾値以下でない場合には、アンテナ組み合わせ判別処理部１４は、ＣＮ値ＣＮAがＣＮ値ＣＮBよりも大きいか否かを判別する（ステップＳＴ１１３）。ステップＳＴ１１３にて、ＣＮ値ＣＮAがＣＮ値ＣＮBよりも大きい場合には、アンテナ組み合わせ判別処理部１４は、スイッチＢ５へアンテナの切替を指示し、スイッチＢ５はアンテナの切替を実行する（ステップＳＴ１１４）。ステップＳＴ１１３にて、ＣＮ値ＣＮAがＣＮ値ＣＮB以下である場合には、アンテナ組み合わせ判別処理部１４は、スイッチＡ５へアンテナの切替を指示し、スイッチＡ５はアンテナの切替を実行する（ステップＳＴ１１５）。【００３６】
図８−３は、アンテナの切替判別処理に誤り率ＥA、ＥBを用いた場合のフローチャートである。アンテナ組み合わせ判別処理部１４は、誤り率ＥA、ＥBが共に記憶部に記憶された誤り率に対応する閾値以上であるか否かを判別する（ステップＳＴ１２１）。ステップＳＴ１２１にて、誤り率ＥA、ＥBが共に前記閾値以上である場合には、アンテナ組み合わせ判別処理部１４は、スイッチＡ５およびスイッチＢ５へアンテナの切替を指示し、スイッチＡ５およびスイッチＢ５はアンテナの切替を実行する（ステップＳＴ１２２）。ステップＳＴ１２１にて、誤り率ＥAまたは誤り率ＥBの少なくとも一方が前記閾値以上でない場合には、アンテナ組み合わせ判別処理部１４は、誤り率ＥBが誤り率ＥAよりも大きいか否かを判別する（ステップＳＴ１２３）。ステップＳＴ１２３にて、誤り率ＥBが誤り率ＥAよりも大きい場合には、アンテナ組み合わせ判別処理部１４は、スイッチＢ５へアンテナの切替を指示し、スイッチＢ５はアンテナの切替を実行する（ステップＳＴ１２４）。ステップＳＴ１２３にて、誤り率ＥBが誤り率ＥA以下である場合には、アンテナ組み合わせ判別処理部１４は、スイッチＡ５へアンテナの切替を指示し、スイッチＡ５はアンテナの切替を実行する（ステップＳＴ１２５）。【００３７】
図８−４は、アンテナの切替判別処理に受信電力値ＰAとＣ／Ｎ値ＣＮAとを乗算した値ＰA×ＣＮAと、受信電力値ＰBとＣ／Ｎ値ＣＮBとを乗算した値ＰB×ＣＮBとを用いた場合のフローチャートである。アンテナ組み合わせ判別処理部１４は、ＰA×ＣＮA、ＰB×ＣＮBが共に記憶部に記憶された対応する閾値以下であるか否かを判別する（ステップＳＴ１３１）。ステップＳＴ１３１にて、ＰA×ＣＮA、ＰB×ＣＮBが共に前記閾値以下である場合には、アンテナ組み合わせ判別処理部１４は、スイッチＡ５およびスイッチＢ５へアンテナの切替を指示し、スイッチＡ５およびスイッチＢ５はアンテナの切替を実行する（ステップＳＴ１３２）。【００３８】
ステップＳＴ１３１にて、ＰA×ＣＮAまたはＰB×ＣＮBの少なくとも一方が前記閾値以下でない場合には、アンテナ組み合わせ判別処理部１４は、ＰA×ＣＮAがＰB×ＣＮBよりも大きいか否かを判別する（ステップＳＴ１３３）。ステップＳＴ１３３にて、ＰA×ＣＮAがＰB×ＣＮBよりも大きい場合には、アンテナ組み合わせ判別処理部１４は、スイッチＢ５へアンテナの切替を指示し、スイッチＢ５はアンテナの切替を実行する（ステップＳＴ１３４）。ステップＳＴ１３３にて、ＰA×ＣＮAがＰB×ＣＮB以下である場合には、アンテナ組み合わせ判別処理部１４は、スイッチＡ５へアンテナの切替を指示し、スイッチＡ５はアンテナの切替を実行する（ステップＳＴ１３５）。【００３９】
図８−５は、アンテナの切替判別処理に遅延プロファイルｔAに含まれる遅延時間ＴAと遅延プロファイルｔBに含まれる遅延時間ＴBとを用いた場合のフローチャートである。アンテナ組み合わせ判別処理部１４は、遅延時間ＴA、遅延時間ＴBが共に記憶部に記憶された遅延時間に対応する閾値以上であるか否かを判別する（ステップＳＴ１４１）。ステップＳＴ１４１にて、遅延時間ＴA、ＴBが共に前記閾値以上である場合には、アンテナ組み合わせ判別処理部１４は、スイッチＡ５およびスイッチＢ５へアンテナの切替を指示し、スイッチＡ５およびスイッチＢ５はアンテナの切替を実行する（ステップＳＴ１４２）。【００４０】
ステップＳＴ１４１にて、遅延時間ＴAまたは遅延時間ＴBの少なくとも一方が前記閾値以上でない場合には、アンテナ組み合わせ判別処理部１４は、遅延時間ＴBが遅延時間ＴAよりも大きいか否かを判別する（ステップＳＴ１４３）。ステップＳＴ１４３にて、遅延時間ＴBが遅延時間ＴAよりも大きい場合には、アンテナ組み合わせ判別処理部１４は、スイッチＢ５へアンテナの切替を指示し、スイッチＢ５はアンテナの切替を実行する（ステップＳＴ１４４）。ステップＳＴ１４３にて、遅延時間ＴBが遅延時間ＴA以下である場合には、アンテナ組み合わせ判別処理部１４は、スイッチＡ５へアンテナの切替を指示し、スイッチＡ５はアンテナの切替を実行する（ステップＳＴ１４５）。【００４１】
図８−６は、アンテナの切替判別処理に遅延プロファイルｔAに含まれる受信電力差ＤＵAと遅延プロファイルｔBに含まれる受信電力差ＤＵBとを用いた場合のフローチャートである。アンテナ組み合わせ判別処理部１４は、受信電力差ＤＵA、ＤＵBが共に記憶部に記憶された受信電力差に対応する閾値以下であるか否かを判別する（ステップＳＴ１５１）。ステップＳＴ１５１にて、受信電力差ＤＵA、ＤＵBが共に前記閾値以下である場合には、アンテナ組み合わせ判別処理部１４は、スイッチＡ５およびスイッチＢ５へアンテナの切替を指示し、スイッチＡ５およびスイッチＢ５はアンテナの切替を実行する（ステップＳＴ１５２）。【００４２】
ステップＳＴ１５１にて、受信電力差ＤＵAまたは受信電力差ＤＵBの少なくとも一方が前記閾値以下でない場合には、アンテナ組み合わせ判別処理部１４は、受信電力差ＤＵAが受信電力差ＤＵBよりも大きいか否かを判別する（ステップＳＴ１５３）。ステップＳＴ１５３にて、受信電力差ＤＵAが受信電力差ＤＵBよりも大きい場合には、アンテナ組み合わせ判別処理部１４は、スイッチＢ５へアンテナの切替を指示し、スイッチＢ５はアンテナの切替を実行する（ステップＳＴ１５４）。ステップＳＴ１５３にて、受信電力差ＤＵAが受信電力差ＤＵB以下である場合には、アンテナ組み合わせ判別処理部１４は、スイッチＡ５へアンテナの切替を指示し、スイッチＡ５はアンテナの切替を実行する（ステップＳＴ１５５）。【００４３】
図８−７は、アンテナの切替判別処理に前回の切替の結果を用いた場合のフローチャートである。アンテナ組み合わせ判別処理部１４は、前回の切替指示がスイッチＡ５およびスイッチＢ５の両方に対して行われたかを判別する（ステップＳＴ１６１）。ステップＳＴ１６１にて、前回の切替指示がスイッチＡ５およびスイッチＢ５の両方に対して行われている場合には、アンテナ組み合わせ判別処理部１４は、処理Ａを行う（ステップＳＴ１６２）。ここで、処理Ａには、図８−１から図８−６で説明した処理が入る。【００４４】
またステップＳＴ１６１にて、前回の切替指示がスイッチＡ５およびスイッチＢ５の少なくとも一方に対して行われていない場合には、アンテナ組み合わせ判別処理部１４は、前回の切替指示がスイッチＡ５に対して行われたか否かを判別する（ステップＳＴ１６３）。ステップＳＴ１６３にて、前回の切替指示がスイッチＡ５に対して行われている場合には、アンテナ組み合わせ判別処理部１４は、スイッチＢ５に対してアンテナ切替を指示し、スイッチＢ５はアンテナの切替を実施する（ステップＳＴ１６４）。またステップＳＴ１６３にて、前回の切替指示がスイッチＡ５に対して行われていない場合には、アンテナ組み合わせ判別処理部１４は、スイッチＡ５に対してアンテナ切替を指示し、スイッチＡ５はアンテナの切替を実施する（ステップＳＴ１６５）。【００４５】
図８−８は、アンテナの切替判別処理として、同一ブランチのアンテナの切替が連続して所定の回数行われた場合には、他方のブランチのアンテナ切替を行う場合のフローチャートである。アンテナ組み合わせ判別処理部１４は、同一ブランチの切替が所定の回数に達しているか否かを判別する（ステップＳＴ１７１）。ステップＳＴ１７１にて、同一ブランチにおけるアンテナの切替が所定の回数に達している場合には、アンテナ組み合わせ判別処理部１４は、他方のブランチに対してアンテナ切替を指示する（ステップＳＴ１７２）。ステップＳＴ１７１にて、同一ブランチにおけるアンテナの切替が所定の回数に達していない場合には、アンテナ組み合わせ判別処理部１４は、同一ブランチのスイッチに対してアンテナ切替を指示する（ステップＳＴ１７３）。【００４６】
つまり、図８−８の処理では、ブランチＡのアンテナの切替回数が所定の回数に達している場合には、アンテナ組み合わせ判別処理部１４は、ブランチＢのアンテナの切替をスイッチＢ５に指示し、ブランチＡのアンテナの切替回数が所定回数に達していない場合には、ブランチＡのアンテナの切替をスイッチＡ５に指示し、スイッチＡ５はアンテナの切替を実施することになる。また、ブランチＢのアンテナの切替回数が所定の回数に達している場合には、アンテナ組み合わせ判別処理部１４は、ブランチＡのアンテナの切替をスイッチＡ５に指示し、ブランチＢのアンテナの切替回数が所定の回数に達していない場合には、ブランチＢのアンテナの切替をスイッチＢ５に指示することになる。なお、アンテナの切替回数は、アンテナ組み合わせ判別処理部１４に内蔵されたメモリに記憶され、切替回数が所定の回数に達し、アンテナ切替のブランチが変更されると、切替回数が所定の回数に達したブランチのアンテナの切替回数はリセットされる。【００４７】
図８−９は、アンテナの切替判別処理として、同一ブランチのアンテナの切替が連続して所定の回数、所定の時間内に行われた場合には、他方のブランチのアンテナ切替を行う場合のフローチャートである。アンテナ組み合わせ判別処理部１４は、過去に同一ブランチの切替が、所定の時間内に所定の回数行われた否かを判別する（ステップＳＴ１８１）。ステップＳＴ１８１にて、所定の時間内に所定の回数に達している場合には、アンテナ組み合わせ判別処理部１４は、他方のブランチのスイッチに対してアンテナ切替を指示する（ステップＳＴ１８２）。ステップＳＴ１８１にて、所定の時間内に所定の回数行われていない場合には、アンテナ組み合わせ判別処理部１４は、同一ブランチのスイッチに対してアンテナ切替を指示する（ステップＳＴ１８３）。【００４８】
なお、図８−１から図８−６に示した判別は、個々に行っても良いし、図８−１から図８−６の処理をＡＮＤ回路等で組み合わせて使用するようにしても良い。また、受信電力値、ＣＮ値、遅延波の主波に対する遅延時間には検出された値を用い、誤り率の変わりに誤り数を、受信電力差の変わりに受信電力差の逆数を用いるようにして、前記値を乗算して一つの値とした後、該値と所定の閾値とを比較して判別処理を行うようにしてもよい。【００４９】
以上のように、この実施の形態１によるデジタル放送受信装置は、デジタル放送波を受信するアンテナを４本備え、受信したデジタル放送波の受信電力値、ＣＮ値、誤り率、遅延波の主波に対する遅延時間、受信電力差等に基づき、各ブランチＡ、Ｂに接続された指向性の異なるアンテナの切替をスイッチ毎に独立して指示してアンテナの切替を行い、ダイバーシティ合成するように構成したので、アンテナの組み合わせにより様々な方向の合成指向性を得ることができるという効果がある。また、様々な方向の合成指向性を得ることができるので主波の到来角度と遅延波の到来角度との角度差が小さい場合にも受信性能を向上できる効果がある。また、所定の時間を経過しないとアンテナの切替が行われないため、アンテナ切替の安定性が高まるという効果がある。【００５０】
また、この実施の形態１では、アンテナは各ブランチＡ、Ｂに２本備える構成としたが、どちらか一方のブランチにアンテナを３本備え、他方に1本備えた構成としても良い。このように構成することで、一方のブランチのアンテナ数が少なくなり切替判別の処理が安定するという効果がある。またこの実施の形態１では、ＯＦＤＭデコーダＡ７、Ｂ７、ＴＳデコーダ１２または制御部１５から出力されたデジタル放送波の放送方式がアンテナ組み合わせ判別処理部１４の記憶部に記憶された所定の放送方式と一致した場合、およびユーザによるデジタル放送波の選局やサーチを指示する信号を制御部１５より受信した場合には、アンテナ組み合わせ判別処理部１４は、スイッチ制御部１３へアンテナ切替の指示を行わない構成としたが、制御部１５に所定の放送方式を記憶する記憶部を備え、ＴＳデコーダ１２から出力されたデジタル放送波の放送方式が、前記記憶部に記憶された所定の放送方式と一致する場合、およびユーザによるデジタル放送波の選局やサーチを指示する信号を受信した場合には、制御部１５がスイッチ制御部１４の動作を停止する構成としても良い。また、ブランチＡ、Ｂの誤り率ＥA、ＥBを使用しない場合には、誤り検出部Ａ８、Ｂ８は割愛可能である。【００５１】
実施の形態２．
図９は、実施の形態２によるデジタル放送受信装置の構成図である。実施の形態１では、各ブランチＡ、Ｂにおけるアンテナ数が２本のものについて説明したが、この実施の形態２では、各ブランチＡ、Ｂにおけるアンテナ数が３本のものについて説明する。なお、ここでは、実施の形態１と同様の構成に同一の符号を付してその説明を省略する。アンテナＣ１、Ｃ２は、放送局や基地局等から送信されるデジタル放送波を受信する。アンテナアンプＣ３、Ｃ４はそれぞれ、アンテナＣ１、Ｃ２が受信したデジタル放送波の利得調整を行う。スイッチＡ５はアンテナＡ１、Ｂ１、Ｃ１の切替を、スイッチＢ５はアンテナＡ２、Ｂ２、Ｃ２の切替をそれぞれ行う。ファントム電源生成部Ｃ９、Ｃ１０は、それぞれアンテナアンプＣ３、Ｃ４へ電力を供給する。なお動作については、実施の形態１によるデジタル放送受信装置と同様であるため省略する。【００５２】
図１０（ａ）は、実施の形態２によるデジタル放送受信装置の各アンテナの指向性の一例を示した図である。アンテナＡ１、Ａ２は車両の前方に指向性を有する。アンテナＢ１、Ｂ２は車両の後方に指向性を有する。アンテナＣ１は車両の右側方に指向性を有する。アンテナＣ２は車両の左側方に指向性を有する。図１０（ｂ）はアンテナＡ１とＡ２を組み合わせた場合に得られる合成指向性を示した図、図１０（ｃ）はアンテナＢ１とＢ２を組み合わせた場合に得られる合成指向性を示した図、図１０（ｄ）はアンテナＡ１とＣ２を組み合わせた場合に得られる合成指向性を示した図、図１０（ｅ）はアンテナＡ２とＣ１を組み合わせた場合に得られる合成指向性を示した図、図１０（ｆ）はアンテナＢ２とＣ２を組み合わせた場合に得られる合成指向性を示した図、図１０（ｇ）はアンテナＢ１とＣ１を組み合わせた場合に得られる合成指向性を示した図、図１０（ｈ）はアンテナＡ１とＢ２、またはＡ２とＢ１を組み合わせた場合に得られる合成指向性を示した図、図１０（ｉ）はアンテナＣ１とＣ２を組み合わせた場合に得られる合成指向性を示した図である。【００５３】
以上のように、実施の形態２によれば、各ブランチＡ、Ｂにおけるアンテナ数を３本としたので、実施の形態１に比べアンテナの組み合わせ数が増え、合成指向性のバリエーションも増えるという効果がある。また、合成指向性のバリエーションが増えるので実施の形態１に比べ、より多くの受信状況に対応できるという効果がある。その他の効果は実施の形態１と同じである。また、この実施の形態２においても実施の形態１と同様に、どちらか一方のブランチにアンテナを４本備え、他方に２本備えた構成、またはどちらか一方のブランチにアンテナを５本備え、他方に１本備えた構成としても良い。このように構成することで、一方のブランチのアンテナ数が少なくなり切替判別の処理が安定するという効果がある。【００５４】
実施の形態３．
図１１は、実施の形態３によるデジタル放送受信装置の構成図である。実施の形態２では、各ブランチＡ、Ｂにおけるアンテナ数が３本のものについて説明したが、この実施の形態３では、各ブランチＡ、Ｂにおけるアンテナ数が４本のものについて説明する。なお、ここでは、実施の形態１および実施の形態２と同様の構成に同一の符号を付してその説明を省略する。アンテナＤ１、Ｄ２は、放送局や基地局等から送信されるデジタル放送波を受信する。アンテナアンプＤ３、Ｄ４はそれぞれ、アンテナＤ１、Ｄ２が受信したデジタル放送波の利得調整を行う。スイッチＡ５はアンテナＡ１、Ｂ１、Ｃ１、Ｄ１の切替を、スイッチＢ５はアンテナＡ２、Ｂ２、Ｃ２、Ｄ２の切替をそれぞれ行う。ファントム電源生成部Ｄ９、Ｄ１０は、それぞれアンテナアンプＤ３、Ｄ４へ電力を供給する。なお動作については、実施の形態１によるデジタル放送受信装置と同様であるため省略する。【００５５】
図１２（ａ）は、実施の形態３によるデジタル放送受信装置の各アンテナの指向性の一例を示した図である。アンテナＡ１、Ａ２は車両の前方に指向性を有する。アンテナＢ１、Ｂ２は車両の後方に指向性を有する。アンテナＣ１、Ｄ２は車両の右側方に指向性を有する。アンテナＣ２、Ｄ１は車両の左側方に指向性を有する。図１２（ｂ）はアンテナＡ１とＡ２を組み合わせた場合に得られる合成指向性を示した図、図１２（ｃ）はアンテナＢ１とＢ２を組み合わせた場合に得られる合成指向性を示した図、図１２（ｄ）はアンテナＡ１とＣ２、またはＡ２とＤ１を組み合わせた場合に得られる合成指向性を示した図、図１２（ｅ）はアンテナＡ２とＣ１、またはＡ１とＤ２を組み合わせた場合に得られる合成指向性を示した図、図１２（ｆ）はアンテナＢ１とＣ２、またはＢ２とＤ１を組み合わせた場合に得られる合成指向性を示した図、図１２（ｇ）はアンテナＢ１とＤ２、またはＢ２とＣ１を組み合わせた場合に得られる合成指向性を示した図、図１２（ｈ）はアンテナＡ１とＢ２、またはＡ２とＢ１を組み合わせた場合に得られる合成指向性を示した図、図１２（ｉ）はアンテナＣ１とＣ２、またはＤ１とＤ２を組み合わせた場合に得られる合成指向性を示した図、図１２（ｊ）はアンテナＤ１とＣ２を組み合わせた場合に得られる合成指向性を示した図、図１２（ｋ）はアンテナＣ１とＤ２を組み合わせた場合に得られる合成指向性を示した図である。【００５６】
以上のように、実施の形態３によれば、各ブランチＡ、Ｂにおけるアンテナ数を４本としたので、実施の形態２に比べアンテナの組み合わせ数が増え、合成指向性のバリエーションも増えるという効果がある。また、合成指向性のバリエーションが増えるので実施の形態２に比べ、より多くの受信状況に対応できるという効果がある。その他の効果は実施の形態１、２と同じである。また、この実施の形態３においても実施の形態１、または実施の形態２と同様に、どちらか一方のブランチのアンテナの本数を増やし、他方のアンテナの本数を減らした構成としても良い。このように構成することで、一方のブランチのアンテナ数が少なくなり切替判別の処理が安定するという効果がある。【００５７】
実施の形態４．
実施の形態１から実施の形態３によるデジタル放送受信装置では、ファントム電源生成部の制御を行っていなかったが、受信もしくはデコードしているデジタル放送波の放送方式によっては、アンテナ切替による受信性能の向上が期待できず、アンテナの切替によって受信性能が逆に劣化する場合がある。このような場合、アンテナの切替を停止したほうが良いが、このとき使用していないアンテナのアンテナアンプへの電力の供給を停止することにより消費電力の低減を図ることができる。このため実施の形態４によるデジタル放送受信装置では、ファントム電源生成部からスイッチ制御部１３により選択されていないアンテナに対する電源の供給を停止することにより、消費電力の制御を行うことを特徴としている。なお、この実施の形態４では、実施の形態３においてファントム電源生成部の消費電力の制御を行う場合について説明するが、実施の形態１または２においてファントム電源生成部の制御を行うことも可能である。【００５８】
次に動作について説明する。
図１３−１、図１３−２は、この実施の形態４によるデジタル放送受信装置の動作を示したフローチャートである。なお、ここでは、この実施の形態４によるデジタル放送受信装置の特徴となる部分のみを説明する。
定常状態（ステップＳＴ２０１）から、制御部１５は、アンテナ切替制御の判別処理を行う（ステップＳＴ２０２）。このステップＳＴ２０２における処理の内容については図１３−２を用いて後述する。次に制御部１５は、ステップＳＴ２０２の処理の結果からアンテナ切替制御がオフであるか否かを判別する（ステップＳＴ２０３）。【００５９】
ステップＳＴ２０３で、アンテナ切替制御がオフでない場合、制御部１５は、全てのファントム電源生成部Ａ９、Ｂ９、Ｃ９、Ｄ９、Ａ１０、Ｂ１０、Ｃ１０、Ｄ１０をオンさせる（ステップＳＴ２２２）。ステップＳＴ２０３で、アンテナ切替制御がオフである場合には、制御部１５は、アンテナ制御がオフである場合に、電源を供給するアンテナが予め設定されているか否かを確認する（ステップＳＴ２０４）。ステップＳＴ２０４にて、アンテナ制御がオフである場合に、電源を供給するアンテナが予め設定されている場合には、電源を供給するアンテナ以外のアンテナへの電源の供給を停止する（ステップＳＴ２２１）。【００６０】
また、ステップＳＴ２０４で、電源を供給するアンテナが予め設定されていない場合、制御部１５はスイッチ制御部１３を参照して、アンテナＡ１がオフであるか否か、すなわちアンテナＡ１が選択されていないかを判別する（ステップＳＴ２０５）。制御部１５は、ステップＳＴ２０５でアンテナＡ１がオフである場合、ファントム電源生成部Ａ９をオフして消費電力の低減を図る（ステップＳＴ２１３）。次に、制御部１５は、スイッチ制御部１３を参照して、アンテナＡ２がオフであるかを判別する（ステップＳＴ２０６）。ステップＳＴ２０６でアンテナＡ２がオフである場合、制御部１５は、ファントム電源生成部Ａ１０をオフして消費電力の低減を図る（ステップＳＴ２１４）。【００６１】
次に、制御部１５は、スイッチ制御部１３を参照して、アンテナＢ１がオフであるかを判別する（ステップＳＴ２０７）。ステップＳＴ２０７でアンテナＢ１がオフである場合、制御部１５は、ファントム電源生成部Ｂ９をオフして消費電力の低減を図る（ステップＳＴ２１５）。次に、制御部１５は、スイッチ制御部１３を参照して、アンテナＢ２がオフであるかを判別する（ステップＳＴ２０８）。ステップＳＴ２０８でアンテナＢ２がオフである場合、制御部１５は、ファントム電源生成部Ｂ１０をオフして消費電力の低減を図る（ステップＳＴ２１６）。【００６２】
次に、制御部１５は、スイッチ制御部１３を参照して、アンテナＣ１がオフであるかを判別する（ステップＳＴ２０９）。ステップＳＴ２０９でアンテナＣ１がオフである場合、制御部１５は、ファントム電源生成部Ｃ９をオフして消費電力の低減を図る（ステップＳＴ２１７）。次に、制御部１５は、スイッチ制御部１３を参照して、アンテナＣ２がオフであるかを判別する（ステップＳＴ２１０）。ステップＳＴ２１０でアンテナＣ２がオフである場合、制御部１５は、ファントム電源生成部Ｃ１０をオフして消費電力の低減を図る（ステップＳＴ２１８）。【００６３】
次に、制御部１５は、スイッチ制御部１３を参照して、アンテナＤ１がオフであるかを判別する（ステップＳＴ２１１）。ステップＳＴ２１１でアンテナＤ１がオフである場合、制御部１５は、ファントム電源生成部Ｄ９をオフして消費電力の低減を図る（ステップＳＴ２１９）。次に、制御部１５は、スイッチ制御部１３を参照して、アンテナＤ２がオフであるかを判別する（ステップＳＴ２１２）。ステップＳＴ２１２でアンテナＤ２がオフである場合、制御部１５は、ファントム電源生成部Ｄ１０をオフして消費電力の低減を図る（ステップＳＴ２２０）。
なお、図１３−１のステップＳＴ２０５からステップＳＴ２１２における判別処理は、各アンテナがオンであることを判別し、オン判別時、ステップＳＴ２１３からステップＳＴ２２０における処理は、判別を実行したアンテナに接続されているアンテナアンプへのファンム電源生成部をオンするように処理してもよい。【００６４】
次に、図１３−１のステップＳＴ２０２における処理について図１３−２を用いて説明する。ステップＳＴ２０２の処理に入ると、制御部１５は、サーチもしくは選局処理中であるか否かを判定する（ステップＳＴ２２３）。ステップＳＴ２２３で、サーチもしくは選局処理中である場合、制御部１５は、スイッチ制御部１３のアンテナ切替動作を停止する。ステップＳＴ２２３で、サーチもしくは選局処理中でない場合、制御部１５は、放送方式が予め記憶部に記憶された所定の放送方式、例えばワンセグであるか否かを判別する（ステップＳＴ２２４）。ステップＳＴ２２４で、放送方式が所定の放送方式、例えばワンセグである場合には、制御部１５は、スイッチ制御部１３のアンテナ切替動作を停止する（ステップＳＴ２２５）。ステップＳＴ２２４で、放送方式が所定の放送方式、例えばワンセグでない場合には、制御部１５は、ステップＳＴ２０２のアンテナ切替制御の判別処理へ戻る。【００６５】
以上のように、この実施の形態４によるデジタル放送受信装置は、アンテナ切替制御の判別処理に基づいて、ファントム電源生成部を停止して、スイッチ制御部１３により選択されていないアンテナのアンテナアンプへの電力の供給を停止することにより消費電力の低減を図ることができるという効果がある。なお、この実施の形態４では、アンテナアンプ毎にファントム電源生成部を設けるようにしたが、例えば、アンテナアンプＡ３とＡ４、アンテナアンプＢ３とＢ４、アンテナアンプＣ３とＣ４、アンテナアンプＤ３とＤ４をそれぞれ一組とし、前記各組毎にファントム電源を設ける等、複数のアンテナアンプに対してファントム電源を一つ設ける構成をとっても良い。
【産業上の利用可能性】
【００６６】
以上のように、この発明に係るデジタル放送受信装置は、異なる方向に指向性を有する複数のアンテナの切り替えをスイッチ毎に指示するようにしたことで、複数のアンテナの組み合わせによりさまざまな方向の合成指向性を得ることができ受信性能が向上したため、車載用のデジタル放送受信装置などに用いるのに適している。
【図１】
2008146495.tif 000003
【図２】
2008146495.tif 000004
【図３−１】
2008146495.tif 000005
【図３−２】
2008146495.tif 000006
【図３−３】
2008146495.tif 000007
【図３−４】
2008146495.tif 000008
【図３−５】
2008146495.tif 000009
【図３−６】
2008146495.tif 000010
【図４】
2008146495.tif 000011
【図５】
2008146495.tif 000012
【図６】
2008146495.tif 000013
【図７−１】
2008146495.tif 000014
【図７−２】
2008146495.tif 000015
【図７−３】
2008146495.tif 000016
【図７−４】
2008146495.tif 000017
【図７−５】
2008146495.tif 000018
【図７−６】
2008146495.tif 000019
【図７−７】
2008146495.tif 000020
【図７−８】
2008146495.tif 000021
【図７−９】
2008146495.tif 000022
【図８−１】
2008146495.tif 000023
【図８−２】
2008146495.tif 000024
【図８−３】
2008146495.tif 000025
【図８−４】
2008146495.tif 000026
【図８−５】
2008146495.tif 000027
【図８−６】
2008146495.tif 000028
【図８−７】
2008146495.tif 000029
【図８−８】
2008146495.tif 000030
【図８−９】
2008146495.tif 000031
【図９】
2008146495.tif 000032
【図１０】
2008146495.tif 000033
【図１１】
2008146495.tif 000034
【図１２】
2008146495.tif 000035
【図１３−１】
2008146495.tif 000036
【図１３−２】
2008146495.tif 000037
【国際調査報告】
2008146495.tif 000038
2008146495.tif 000039
2008146495.tif 000040
2008146495.tif 000041